(57)【要約】【課題】  かご室内の乗客によるいたずらや、うっかりと長尺物を押し当ててしまうことなどによっても天井照明板の天井目地からの脱落を防止する。【解決手段】  光源体５の点検や取替え時には、天井照明板８を破線８ａのように斜めに持ち上げて天井照明板挿通口４ａ、６ａの塞ぎ板４ｂ、６ｂを取り外したのち、天井照明板８をかご室天蓋３に沿って移動させて天井照明板８の一端を天井照明板挿通口４ａ、６ａよりかご室外部に突出させ、空いた空間から光源体隠し板６に囲まれた空間内に頭や身体の一部を挿入して必要な作業を行なう。【選択図】  図１
2005104693.tif 000002
【特許請求の範囲】
【請求項１】
かご室天蓋に配設された光源体を取り囲むようにかご室壁に近接して光源体隠し板を設け、この光源体隠し板の下方周縁に取付けられた天井目地上に上記光源体と対向するように天井照明板を係止保持するエレベータかご室の天井照明装置において、上記かご室壁と上記光源体隠し板とに、上記天井照明板を上記かご室天蓋に沿ってかご室外部に移動可能なように、それぞれ天井照明板挿通口を設け、上記光源体の点検、取替え時には、上記天井照明板の一端を上記天井照明板挿通口よりかご室外部に突出させるようにしたことを特徴とするエレベータかご室の天井照明装置。
【請求項２】
上記各天井照明板挿通口には塞ぎ板が取外し自在に設けられていることを特徴とする請求項１記載のエレベータかご室の天井照明装置。
【請求項３】
上記天井照明板は複数枚に分割されていることを特徴とする請求項１または２記載のエレベータかご室の天井照明装置。
【発明の詳細な説明】
【技術分野】
【０００１】
この発明は、エレベータかご室の天井照明装置に関するものである。
【背景技術】
【０００２】
従来のエレベータかご室の天井照明装置としては、特許文献１に見られるようなものがある。これは、透光部が設けられて一側がかご室の固定部に枢着されて下側に回動可能に
構成されかご室の天井板の下側に空隙を形成して配置された吊り天井板と、この吊り天井板を上昇位置に保持する掛止手段と、吊り天井板の上面に装着された光源体とを設けたものであり、これによって、かご室照明装置の光源体の保守作業時には、吊り天井板を下方に開放して、光源体を吊り天井板と共に下方の開放場所へ移動させ、光源体の保守作業を容易化、また安全化するものである。
【０００３】
【特許文献１】特開平６−９１７７号公報（段落００１６及び図２）
【発明の開示】
【発明が解決しようとする課題】
【０００４】
このようにエレベータかご室の天井照明装置においては、例えば光源体である蛍光灯の球切れや長時間の使用による照度の低下によりこれを点検したり取替えるため、天井照明板をかご室から内側に取り外す方法が一般的である。
このため天井照明板はかご室内側から挿入して取付けることのできる大きさに作られているが、かご室内の乗客によるいたずらや、うっかりと長尺物を押し当ててしまうことなどにより天井目地から脱落させてしまう恐れがある。この結果、かご室内の乗客の身体に当って怪我を負わしめる恐れがある。
【０００５】
この発明は、上述のような課題を解決するためになされたもので、かご室内の乗客によるいたずらや、うっかりと長尺物を押し当ててしまうことなどによっても天井照明板の天井目地からの脱落を防止できるエレベータかご室の天井照明装置を提供するものである。
【課題を解決するための手段】
【０００６】
この発明は、かご室天蓋に配設された光源体を取り囲むようにかご室壁に近接して光源体隠し板を設け、この光源体隠し板の下方周縁に取付けられた天井目地上に上記光源体と対向するように天井照明板を係止保持するエレベータかご室の天井照明装置において、上記かご室壁と上記光源体隠し板とに、上記天井照明板を上記かご室天蓋に沿ってかご室外部に移動可能なように、それぞれ天井照明板挿通口を設け、上記光源体の点検、取替え時には、上記天井照明板の一端を上記天井照明板挿通口よりかご室外部に突出させるようにしたことを特徴とするエレベータかご室の天井照明装置。
【発明の効果】
【０００７】
この発明に係るエレベータかご室の天井照明装置は、以上のように構成されているため、光源体の点検や取替えは天井照明板の一端をかご室壁からかご室外部に出すことにより確保できる空間から行なえるので、天井照明板をかご室内に外し降ろす必要がなくなる。
また、天井照明板を天井内に搬入し天井目地上に係止保持することにより、天井照明板は天井目地から脱落しない大きさとなるので、かご室内の乗客によるいたずらや、うっかりと長尺物を押し当ててしまうことによる天井照明板の脱落を確実に防止できる。
【発明を実施するための最良の形態】
【０００８】
実施の形態
図１は、この発明の実施の形態におけるエレベータかご室の天井照明装置の概略立面図である。図２は図１のかご室内側からみた天井照明板部分の平面図である。
【０００９】
図において、昇降路１内に所定の間隔をおいてかご室２が配置されている。かご室２はかご室天蓋３とかご室壁４を有している。かご室天蓋３には蛍光灯等の複数の光源体５が適当な位置に配設され、この光源体５の周囲を取り囲むようにかご室壁４に近接して光源体隠し板６が設けられている。そして、この光源体隠し板６の下方周縁に取付けられた天井目地７上に光源体５と対向するように天井照明板８が外れ止め９により係止保持されている。さらに、かご室壁４と光源体隠し板６とに、天井照明板８をかご室天蓋３に沿ってかご室外部に移動可能なように、それぞれ天井照明板挿通口４ａ、６ａが設けられている。これらの天井照明板挿通口４ａ，６ａは互いに対向する位置関係にあり、それぞれに塞ぎ板４ｂ、６ｂが取付けネジ等により取外し自在に設けられている。
なお、天井照明板８は複数枚（図では３枚）に分割され、それぞれが外れ止め９により天井目地７上に係止保持されている。
【００１０】
しかして、光源体５の点検や取替え時には、天井照明板８を破線８ａのように斜めに持ち上げて天井照明板挿通口４ａ、６ａの塞ぎ板４ｂ、６ｂを取り外したのち、天井照明板８をかご室天蓋３に沿って移動させて天井照明板８の一端を天井照明板挿通口４ａ、６ａよりかご室外部に突出させ、作業者は空いた空間から光源体隠し板６に囲まれた空間内に頭や身体の一部を挿入して必要な作業を行なう。かご室外部の空間には一般的には釣合おもり（図示せず）があり、これの位置していない状態において昇降路壁１に近接するところまで天井照明板８を破線８ｂのように移動させることができる。
【００１１】
以上のように構成されているため、光源体の点検や取替えは天井照明板の一端をかご室壁からかご室外部に出すことにより確保できる空間から行なえるので、天井照明板をかご室内に外し降ろす必要がなくなる。
また、天井照明板を天井内に搬入し天井目地上に係止保持することにより、天井照明板は天井目地から脱落しない大きさとなるので、かご室内の乗客によるいたずらや、うっかりと長尺物を押し当ててしまうことによる天井照明板の脱落を確実に防止できる。
【産業上の利用可能性】
【００１２】
この発明はエレベータに用いることができる。
【図面の簡単な説明】
【００１３】
【図１】この発明の実施の形態におけるエレベータかご室の天井照明装置の概略立面図である。
【図２】図１のかご室内側からみた天井照明板部分の平面図である。
【符号の説明】
【００１４】
１  昇降路壁、２  かご室、３  かご室天蓋、４  かご室壁、４ａ  天井照明板挿通口、４ｂ  塞ぎ板、５  光源体、６  光源体隠し板、６ａ  天井照明板挿通口、６ｂ  塞ぎ板、７  天井目地、８  天井照明板、９  外れ止め
【図１】
2005104693.tif 000003
【図２】
2005104693.tif 000004